【手続補正書】
【提出日】平成25年3月22日(2013.3.22)
【手続補正１】
【補正対象書類名】明細書
【補正対象項目名】発明の名称
【補正方法】変更
【補正の内容】
【発明の名称】サーバ装置及び情報処理装置
【手続補正２】
【補正対象書類名】明細書
【補正対象項目名】０００１
【補正方法】変更
【補正の内容】
【０００１】
本発明は、サーバ装置及び情報処理装置に関する。
【手続補正３】
【補正対象書類名】明細書
【補正対象項目名】０００７
【補正方法】変更
【補正の内容】
【０００７】
請求項１記載の発明は、記録媒体を用いる情報管理システムのサーバ装置であって、前記記録媒体が配布専用であって連絡先情報の変更が許可されているか否かを示す権限情報と前記連絡先情報を識別するための識別情報とを含む登録情報と、前記連絡先情報と、が含まれる格納情報を受信するサーバ受信部と、前記受信した格納情報のうち、前記権限情報が配布専用ではなく前記連絡先情報の変更が許可されていないことを示している格納情報を記憶するサーバ記憶部と、前記受信した送信データに含まれる識別情報に対応する格納情報を前記サーバ記憶部から読み出すサーバ制御部と、前記サーバ制御部により読み出された格納情報を含むサーバ送信データを送信するサーバ送信部と、を備えること、を特徴としている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３記載の発明は、記録媒体を用いる情報管理システムの情報処理装置であって、前記記録媒体が配布専用であって連絡先情報の変更が許可されているか否かを示す権限情報と前記連絡先情報を識別するための識別情報とを含む登録情報と、前記連絡先情報と、が含まれる格納情報を生成し、当該格納情報を前記記録媒体に書き込む制御部と、前記生成した格納情報を含む送信データを送信する送信部と、を備えることを特徴としている。
【手続補正６】
【補正対象書類名】明細書
【補正対象項目名】００１０
【補正方法】変更
【補正の内容】
【００１０】
請求項４記載の発明は、連絡先情報の変更が許可されているか否かを示す権限情報と前記連絡先情報を識別するための識別情報とを含む登録情報と、前記連絡先情報と、が含まれる格納情報を記憶する記録媒体を用いる情報管理システムの情報処理装置であって、前記記憶媒体に記憶されている連絡先情報に含まれる通信接続先情報に基づいて外部装置と通信を行う通信部と、前記記録媒体に対して前記格納情報の読み取りを行う読取部と、前記読取部により読み取られた格納情報に含まれる前記権限情報が配布専用であって前記連絡先情報の変更が許可されていることを示している場合、当該格納情報を前記送信データとして送信する送信部と、前記第２端末送信部から送信した送信データに対するサーバ送信データを受信する受信部と、前記読取部により読み取られた格納情報に含まれる前記権限情報が配布専用であって前記連絡先情報の変更が許可されていることを示している場合、且つ、当該読み取られた格納情報に含まれる連絡先情報と、前記受信部から受信したサーバ送信データに含まれている連絡先情報とが一致しない場合には、前記受信部から受信したサーバ送信データに含まれている連絡先情報の通信接続先情報に基づいて前記通信部により通信を行う制御部と、を備えることを特徴としている。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項１２記載の発明は、記憶媒体から識別情報と第一連絡先情報を取得する取得部と、前記識別情報をサーバ装置に送信する送信部と、前記サーバ装置から前記識別情報に対する第二連絡先情報を受信する受信部と、前記第一連絡先と前記第二連絡先情報とを比較する比較部と、前記比較部が前記第一連絡先と前記第二連絡先情報とが一致していると判定した場合、前記一致した連絡先情報によって外部装置と通信をし、一致していないと判定した場合、前記第二連絡先情報によって外部装置と通信をする通信部と、を備えたこと、を特徴としている。
【手続補正１２】
【補正対象書類名】明細書
【補正対象項目名】００９３
【補正方法】変更
【補正の内容】
【００９３】
システム識別情報がある場合（ステップＳ３２；ＹＥＳ）、サーバ制御部２０は、空き登録番号の送信要求か否かを判別する（ステップＳ３３）。
ステップＳ３３では、例えば、データチェック部の上位４ビットが「００００」に設定されているか否かが判別されることにより、空き要録番号の送信要求か否かが判別される。
【手続補正１３】
【補正対象書類名】特許請求の範囲
【補正対象項目名】全文
【補正方法】変更
【補正の内容】
【特許請求の範囲】
【請求項１】
記録媒体を用いる情報管理システムのサーバ装置であって、
前記記録媒体が配布専用であって連絡先情報の変更が許可されているか否かを示す権限情報と前記連絡先情報を識別するための識別情報とを含む登録情報と、前記連絡先情報と、が含まれる格納情報を受信するサーバ受信部と、
前記受信した格納情報のうち、前記権限情報が配布専用ではなく前記連絡先情報の変更が許可されていないことを示している格納情報を記憶するサーバ記憶部と、
前記受信した送信データに含まれる識別情報に対応する格納情報を前記サーバ記憶部から読み出すサーバ制御部と、
前記サーバ制御部により読み出された格納情報を含むサーバ送信データを送信するサーバ送信部と、
を備えることを特徴とするサーバ装置。
【請求項２】
前記サーバ制御部は、
前記サーバ受信部から受信した格納情報の前記権限情報が配布専用ではなく前記連絡先情報の変更が許可されていないことを示している場合、当該受信した送信データに含まれる識別情報に対応する格納情報を前記サーバ記憶部から読み出し、
当該読み出した格納情報に含まれている連絡先情報と前記受信した送信データに含まれる連絡先情報とが一致しない場合には、前記読み出した格納情報に含まれている連絡先情報を、前記受信した送信データに含まれる連絡先情報に書き換えること、
を特徴とする請求項１に記載のサーバ装置。
【請求項３】
記録媒体を用いる情報管理システムの情報処理装置であって、
前記記録媒体が配布専用であって連絡先情報の変更が許可されているか否かを示す権限情報と前記連絡先情報を識別するための識別情報とを含む登録情報と、前記連絡先情報と、が含まれる格納情報を生成し、当該格納情報を前記記録媒体に書き込む制御部と、
前記生成した格納情報を含む送信データを送信する送信部と、
を備えることを特徴とする情報処理装置。
【請求項４】
連絡先情報の変更が許可されているか否かを示す権限情報と前記連絡先情報を識別するための識別情報とを含む登録情報と、前記連絡先情報と、が含まれる格納情報を記憶する記録媒体を用いる情報管理システムの情報処理装置であって、
前記記憶媒体に記憶されている連絡先情報に含まれる通信接続先情報に基づいて外部装置と通信を行う通信部と、
前記記録媒体に対して前記格納情報の読み取りを行う読取部と、
前記読取部により読み取られた格納情報に含まれる前記権限情報が配布専用であって前記連絡先情報の変更が許可されていることを示している場合、当該格納情報を前記送信データとして送信する送信部と、
前記第２端末送信部から送信した送信データに対するサーバ送信データを受信する受信部と、
前記読取部により読み取られた格納情報に含まれる前記権限情報が配布専用であって前記連絡先情報の変更が許可されていることを示している場合、且つ、当該読み取られた格納情報に含まれる連絡先情報と、前記受信部から受信したサーバ送信データに含まれている連絡先情報とが一致しない場合には、前記受信部から受信したサーバ送信データに含まれている連絡先情報の通信接続先情報に基づいて前記通信部により通信を行う制御部と、
を備えることを特徴とする情報処理装置。
【請求項５】
前記制御部は、
前記読取部により読み取られた格納情報に含まれる前記権限情報が配布専用ではなく前記連絡先情報の変更が許可されていないことを示している場合、当該読み取られた連絡先情報に含まれている通信接続先情報に基づいて前記通信部により通信を行うこと、
を特徴とする請求項４に記載の情報処理装置。
【請求項６】
前記制御部は、
前記読取部により読み取られた格納情報に含まれる前記権限情報が配布専用であって前記連絡先情報の変更が許可されていることを示している場合、且つ、当該読み取られた格納情報に含まれる連絡先情報と前記第２端末受信部から受信したサーバ送信データに含まれている連絡先情報とが一致する場合には、当該読み取られた連絡先情報に含まれる通信接続先情報に基づいて前記通信部により通信を行うこと、
を特徴とする請求項４又は５に記載の情報処理装置。
【請求項７】
用紙に画像を形成して出力するプリント部を備え、
前記制御部は、
前記読取部により読み取られた格納情報に含まれる連絡先情報と、前記第２端末受信部から受信したサーバ送信データに含まれている連絡先情報とが一致しない場合には、
前記格納情報が読み取られた記録媒体に格納されている連絡先情報には新たに変更されている情報があることを報知する報知情報を生成し、当該報知情報に基づく画像が形成された用紙を前記プリント部により出力させること、
を特徴とする請求項４から６のいずれか一項に記載の情報処理装置。
【請求項８】
前記記録媒体に対して前記格納情報の書き込みを行う書込部を備え、
前記制御部は、
前記読取部から読み取った格納情報に含まれる連絡先情報と、前記受信部から受信したサーバ送信データに含まれている連絡先情報と、が一致しない場合には、
前記格納情報を読み取った記録媒体に格納されている格納情報を、前記受信部から受信したサーバ送信データに含まれている格納情報に前記書込部により書き換えること、
を特徴とする請求項４から７のいずれか一項に記載の情報処理装置。
【請求項９】
前記記録媒体は、電子的に情報を記憶する媒体としてＩＣチップを搭載している記録媒体であること、
を特徴とする請求項４から８のいずれか一項に記載の情報処理装置。
【請求項１０】
前記記録媒体は、表面に二次元コードを印刷することで情報を記録する記録媒体であること、
を特徴とする請求項４から８のいずれか一項に記載の情報処理装置。
【請求項１１】
前記通信接続先情報は、
ファクシミリ番号、電話番号、電子メールアドレス、ＵＲＬのうち少なくともいずれか一つを含むこと、
を特徴とする請求項４から１０のいずれか一項に記載の情報管理システム。
【請求項１２】
記憶媒体から識別情報と第一連絡先情報を取得する取得部と、
前記識別情報をサーバ装置に送信する送信部と、
前記サーバ装置から前記識別情報に対する第二連絡先情報を受信する受信部と、
前記第一連絡先と前記第二連絡先情報とを比較する比較部と、
前記比較部が前記第一連絡先と前記第二連絡先情報とが一致していると判定した場合、前記一致した連絡先情報によって外部装置と通信をし、一致していないと判定した場合、前記第二連絡先情報によって外部装置と通信をする通信部と、
を備えたことを特徴とする情報処理装置。